(57)【要約】      （修正有）【課題】シングルリード木管楽器に用いられる歯の位置のガイド装置を提供する。【解決手段】ガイド装置は、上面１１０と底面１２０とを有し、その間に形成された少なくとも２つの厚み層を含むマウスピースパッチ１００である。底面は、その表面に接着手段を有する平坦面である。上面は、厚みの異なる第１段１１２と第２段１１４を含む段違い面である。第１段と第２段の間には段差１１３が形成される。段差は、マウスピースパッチがマウスピースに取り付けられた際に、木管楽器吹奏者の上切歯のための位置ガイドとなる。【選択図】図１
2018151613.tif 000002
【特許請求の範囲】
【請求項１】
シングルリード木管楽器に用いる歯の位置のガイド装置であって、
上面と底面とを有し、前記上面と前記底面との間に少なくとも２つの厚みの異なる層を含むマウスピースパッチを備え、
前記底面は、その表面に接着手段を有する平坦面であり、
前記上面は、厚みの異なる第１段と第２段とを含む段違い面であり、
前記第１段と第２段の間に段差が形成され、
前記段差は、前記マウスピースパッチがマウスピースに取り付けられた際に、木管楽器吹奏者の上切歯のための位置ガイドとなる、
ガイド装置。
【請求項２】
前記段差は、直線状の縁を有する、
請求項１に記載のガイド装置。
【請求項３】
前記第１段の厚みは前記第２段の厚みより薄い、
請求項１に記載のガイド装置。
【請求項４】
前記マウスピースパッチは、前記上面と前記底面として幾何学形状を有する、
請求項１に記載のガイド装置。
【請求項５】
前記幾何学形状には卵形を含む、
請求項４に記載のガイド装置。
【請求項６】
前記幾何学形状には楕円形を含む、
請求項４に記載のガイド装置。
【請求項７】
前記幾何学形状には涙滴形を含む、
請求項４に記載のガイド装置。
【請求項８】
前記マウスピースパッチは単一部材で形成されている、
請求項１に記載のガイド装置。
【請求項９】
前記マウスピースパッチは互いに固定された、第１均一厚み層及び第２均一厚み層により形成されている、
請求項１に記載のガイド装置。
【請求項１０】
前記第１均一厚み層は、前記第２均一厚み層より小さい、
請求項９に記載のガイド装置。
【請求項１１】
前記第２均一厚み層は、既存のマウスピースパッチを含む、
請求項９に記載のガイド装置。
【請求項１２】
前記上面の前記第２段と第３段との間に形成される第２段差を更に有する、
請求項１に記載のガイド装置。
【請求項１３】
シングルリード木管楽器に用いる歯の位置のガイド装置であって、
上面と、その表面に接着手段を有する平坦面である底面と、を有するマウスピースパッチと、
前記上面を水平に横切るように配置される、少なくとも１つの段差としてのリブと、を備え、
前記段差は、前記マウスピースパッチがマウスピースに取り付けられた際に、木管楽器吹奏者の上切歯のための位置ガイドとなる、
ガイド装置。
【請求項１４】
前記リブは薄い小片である、
請求項１３に記載のガイド装置。
【請求項１５】
前記リブは幾何学形状の断面を有する、
請求項１３に記載のガイド装置。
【発明の詳細な説明】
【技術分野】
【０００１】
本願は総じて楽器のアクセサリーに関し、特にシングルリード木管楽器に用いる歯の位置のガイド装置に関するものである。
【背景技術】
【０００２】
シングルリード木管楽器のマウスピースは、非常に柔軟な、テーパをつけたリードの厚みの薄い側の端部がリード弁として機能するよう、リード振動要素が通常マウスピースの表面に取り付けられるデバイスである。シングルリード木管楽器の本来の音色を出すためには、吹奏者はいくつかのテクニック（「アンブシュア」と呼ばれる）を身につけなければならない。そのテクニックの１つは、吹奏者の口の中におけるマウスピースの位置を定めることである。これは往々にして、特に初心者には習得が非常に難しいテクニックである。なぜなら、吹奏者の口の中におけるマウスピースの深さをコントロール又は検知することが容易にはできないからである。この問題は、シングルリード木管楽器の教師及び生徒の双方にとって、悩みの種である。よって、以上の問題を緩和する装置が望まれている。
【発明の概要】
【０００３】
このセクションは、本発明の幾つかの態様について要約することを目的とし、幾つかの好ましい実施形態が簡単に紹介される。本セクションの目的が不明瞭にならないよう、要約書及び発明の名称においてと同様に本セクションで簡略化や省略が行われる場合がある。このような簡略化や省略は、本発明の範囲を限定するものではない。
【０００４】
シングルリード木管楽器に用いられ、吹奏者の上切歯のマウスピース上の位置をガイドする装置が開示される。本発明の一実施形態において、装置は、上面と底面とその間に形成された少なくとも２つの異なる厚み層を含むマウスピースパッチを含む。底面は、表面に接着手段を有する平坦面である。上面は、異なる厚みを有する第１段（第１レベル）と第２段（第２レベル）を含む段違い面である。第１段と第２段の間には段差（レッジ）が形成される。段差は、マウスピースパッチがマウスピースに取り付けられた際に、木管楽器吹奏者の上切歯のための位置ガイドとなる。
【０００５】
以下、添付された図面を参照しながら、本発明の詳細な実施形態を考察することにより、本発明の他の目的、特徴、及び効果が明らかとなるであろう。
【図面の簡単な説明】
【０００６】
本発明のこれら及び他の特徴、態様及び効果は、以下の説明、添付の特許請求の範囲及び以下の図面によりよく理解されるであろう。
【図１】本発明の一実施形態にかかるマウスピースパッチの例を描画した斜視図である。
【図２】図２Ａは、本発明の一実施形態にかかる図１のマウスピースパッチの例の上面を描画した平面図である。図２Ｂは、本発明の一実施形態にかかるマウスピースパッチの例の底面を描画した平面図である。
【図３】図３Ａは、本発明の一実施形態にかかる第１例のマウスピースパッチの側面を描画した立面図である。図３Ｂは、本発明の他の実施形態にかかる第２例のマウスピースパッチの側面を描画した立面図である。
【図４】本発明のある実施形態にかかるマウスピースパッチをつけたマウスピースの例を示す側面図である。
【図５Ａ−Ｃ】本発明のある実施形態にかかる、上面に２つより多い段を有するマウスピースパッチの他の例を示す図である。
【図５Ｄ−Ｇ】本発明のある実施形態にかかる、上面に２つより多い段を有するマウスピースパッチの他の例を示す図である。
【図６】本発明のある実施形態にかかるマウスピースパッチ上の他の代替的な段差の例を示す図である。
【図７Ａ】本発明の一実施形態にかかる涙滴形マウスピースパッドの例の各種二次元図である。
【図７Ｂ】図７Ａの涙滴形マウスピースパッドの例を示す斜視図である。
【発明を実施するための形態】
【０００７】
以下の説明において、本発明を十分に理解するために多くの具体的な詳細事項が述べられる。しかしながら、このような具体的な詳細事項がなくとも本発明を実施可能であることは、当業者には自明であろう。以下の説明及び表現は、当業者並びに熟練者が仕事の内容を他の当業者に最も効率よく伝える際に用いる一般的な手段である。
【０００８】
「一実施形態」又は「ある実施形態」といった言及は、その実施形態と関連して記載された特定の特徴、構造又は特性が本発明の少なくとも一つの実施形態に含まれる可能性があることを意味する。明細書中の様々な箇所で「一実施形態において」という表現が出てくるが、これら全ては同一の実施形態に必ずしも言及しているわけではなく、他の実施形態とは互いに排他的である別々の又は代替的な実施形態に言及しているわけでもない。以下で使用する、「上」、「下」、「前」、「後」、「縦」、「横」という用語は、説明のための相対的な位置を示すためのものであり、絶対座標系を指定するためのものではない。
【０００９】
本発明の実施形態について、図１〜図７Ｂを参照しながら以下に説明する。しかしながら、これらの図面を参照して以下に示す詳細な記載が説明目的のためのものであって、本発明はこれら限定された実施形態には収まらないことは当業者には容易に理解されるであろう。
【００１０】
まず図１には、一例にかかるマウスピースパッチ又はマウスピースパッド１００の斜視図が示されている。マウスピースパッチ１００は少なくとも上面（上側）１１０と底面（底側）１２０の間において２つの異なる厚みを有する。底面１２０は、表面に接着手段を有する平坦面である。上面１１０は少なくとも２つの段（例えば、第１段（第１レベル）１１２及び第２段（第２レベル）１１４）を含む段違い面である。第１段の厚み１０２は、第２段の厚み１０４よりも薄く、第１段１１２と第２段の間には段差１１３が形成される。段差１１３は、マウスピースパッチ１００がマウスピース（例えば図４のマウスピース１８０のビーク１７０）に取り付けられた際に、木管楽器吹奏者の上切歯の位置ガイドとなる。マウスピースパッチ１００は、限定しないが、ゴム、プラスチックなどを含む１つ又は複数の材料で作られてもよい。
【００１１】
図２Ａには、マウスピースパッチ１００の上面１１０の平面図が示され、図２Ｂには底面１２０の平面図が示されている。図３Ａは、単一部材１３０で作られたマウスピースパッチ１００の立面図である。マウスピースパッチ１００は、別の実施形態として、図３Ｂに示すように、互いに固定された、第１均一厚み層１３１及び第２均一厚み層１３２を含む。第１層１３１は第２層１３２よりも小さい。一実施形態では、第２層１３２は既存のマウスピースパッチである。第１層１３１は、周知の取り付け手段（例えばのりなど）で第２層１３２に取り付けられる。
【００１２】
図５Ａ−図５Ｃは、本願の一実施形態にかかるマウスピースパッチの他の例であり、上面に２つよりも多い段を有する。図５Ａは、２つの均一厚み層により形成された３つの段を含む上面を示す。第１層５０１は半円形状であり、第２層５０２は幾何学形状（例えば既存のマウスピースパッチにおける卵形）である。図５Ｂは、四角形の第１層５１１と卵形の第２層５１２により形成された３つの段を含む上面を示す。図５Ｃの立面図は、図５Ａ及び図５Ｂに示すマウスピースパッチの側面の例である。
【００１３】
図５Ｄは他のマウスピースパッチの例であり、上面５２２に配置されたリブ５２１を有する。リブ５２１は上面５２２を水平に横切っており、吹奏者の歯の位置ガイドとして使用される。図５Ｅは三角形の断面を有する第１例のリブ５３１を示す。図５Ｆには第２例のリブ５３２が示されており、四辺形の断面を有する。図５Ｇは半円の断面を有する第３例のリブ５３３を示す。本願では、リブ５２１の断面として用いられる幾何学形状のタイプは限定されない。
【００１４】
図６は本願のある実施形態にかかるマウスピースパッチ上の他の代替的な段差（ledge）の例を示す。第１曲線状段差６２３は上面の略中央に位置する。第１直線状段差６３３は実質的に上面の中央から外れた位置に位置する。曲線状段差６５３及び直線状段差６４３の両方が上面に形成される。
【００１５】
図７Ａには、代替的な実施形態の涙滴形マウスピースパッド７００の例の各種二次元図が示されている。第１段７１２と第２段７１４との間に段差７１３が形成されている。図７Ｂは、涙滴形マウスピースパッド７００の例の斜視図である。図７Ａにミリメートルで示す全ての寸法は一例である。他の態様では、他の寸法が用いられてもよい。
【００１６】
本発明について特定の実施形態を参照して説明してきたが、これらの実施形態は例示に過ぎず、本発明を限定するものではない。具体的に開示した例示的な実施形態への様々な修正又は変更が当業者に示唆されるであろう。例えばマウスピースパッチの形状として卵形が示され開示されたが、例えば四辺形など他の幾何学形状を用いて同様に実現されてもよい。つまり、本発明の範囲は、明細書等に開示した具体的な例示的実施形態に限定すべきではなく、当業者には容易に示唆される全ての変形例は、本出願の精神及び趣旨及び添付の請求項の範囲に含まれる。
【図１】
2018151613.tif 000003
【図２】
2018151613.tif 000004
【図３】
2018151613.tif 000005
【図４】
2018151613.tif 000006
【図５Ａ−Ｃ】
2018151613.tif 000007
【図５Ｄ−Ｇ】
2018151613.tif 000008
【図６】
2018151613.tif 000009
【図７Ａ】
2018151613.tif 000010
【図７Ｂ】
2018151613.tif 000011